(57)【要約】【課題】複数の加入者情報を一又は複数のＳＩＭカードなどの加入者情報を記録する記憶媒体から読み出した場合であっても、位置登録動作による消費電力の発生を、移動通信網での加入者情報管理装置及び位置登録手順へ変更を加えることなく、抑制する携帯端末及びそのサービス登録方法を提供する。【解決手段】加入者情報を記録した記憶媒体が複数検知されている場合に、一方の記録媒体の加入者情報について他方の記録媒体の加入者情報を着信転送先とする着信転送サービスを登録し、着信転送先とした他方の記録媒体の加入者情報については位置登録し、着信転送元となった一方の記録媒体の加入者情報については位置登録しない。【選択図】図１
2008236346.tif 000002
【特許請求の範囲】
【請求項１】
移動通信システムに接続する携帯端末において、
加入者情報を記録した記憶媒体を検知する記憶媒体検知手段と、
当該記憶媒体検知手段にて検知された前記記憶媒体の加入者情報について位置登録を設定する位置登録制御部と、
移動通信網に対してサービス設定要求を送信して移動通信網が提供するサービスの設定を行うサービス設定手段と、
当該サービス設定手段により着信転送元への着信を着信転送先に転送する着信転送サービスを登録する着信転送自動登録手段とを具備し、
複数の前記記憶媒体が前記記憶媒体検知手段にて検知された場合に、前記着信転送自動登録手段が、一方の記録媒体の加入者情報を着信転送元とし、他方の記録媒体の加入者情報を着信転送先とする着信転送サービスを登録し、
前記位置登録制御部により他方の記録媒体の加入者情報について位置登録を設定し、
前記位置登録制御部により一方の記録媒体の加入者情報について位置登録を設定しない携帯端末。
【請求項２】
記憶媒体が抜出されたことを検知する記録媒体抜出し検知手段と、
前記着信転送自動登録手段によって登録されている着信転送サービスを、前記サービス設定手段により解除する着信転送自動解除手段とを具備し、
前期記憶媒体の抜出しが前記記録媒体抜出し検知手段にて検知された場合に、着信転送自動解除手段が、抜出された記憶媒体の加入者情報を着信転送元又は着信転送先として登録している着信転送サービスを解除する
前記請求項１に記載の携帯端末。
【請求項３】
前記着信転送自動登録手段によって登録されている着信転送サービスを、前記サービス設定手段により解除する着信転送自動解除手段と、
電源オフ動作への移行を検知する電源オフ検知手段とを具備し、
電源オン状態から電源オフ状態への遷移を当該電源オフ検知手段にて検知した場合に、前記着信転送自動解除手段が、前記記録媒体検知部により検知されている記憶媒体の加入者情報ついて登録された着信転送サービスを前記サービス設定手段により自動的に解除する
前記請求項１に記載の携帯端末。
【請求項４】
前記着信転送自動登録手段によって登録されている着信転送サービスを、前記サービス設定手段により解除する着信転送自動解除手段と、
電波を送信しないセルフモードと当該セルフモード以外のモードの切り替えを制御するセルフモード設定手段とを具備し、
セルフモード以外のモードからセルフモードへ移行する場合に、前記着信転送自動解除手段が、前記記録媒体検知部により検知されている記憶媒体の加入者情報ついて登録された着信転送サービスを前記サービス設定手段により自動的に解除し、
セルフモードからセルフモード以外のモードへ移行する場合で且つ、複数の前記記憶媒体が前記記録媒体検知手段にて検知された場合に、前記着信転送自動登録手段が、一方の記録媒体の加入者情報を着信転送元とし、他方の記録媒体の加入者情報を着信転送先とする着信転送サービスを登録する
前記請求項１に記載の携帯端末。
【請求項５】
移動通信システムに接続する携帯端末のサービス登録方法において、
加入者情報を記録した記憶媒体を検知する記憶媒体検知ステップと、
当該記憶媒体検知ステップにて検知された前記記憶媒体の加入者情報について位置登録を設定する位置登録制御ステップと、
移動通信網に対してサービス設定要求を送信して移動通信網が提供するサービスの設定を行うサービス設定ステップと、
当該サービス設定ステップにより着信転送元への着信を着信転送先に転送する着信転送サービスを登録する着信転送自動登録ステップとを含み、
複数の前記記憶媒体が前記記憶媒体検知ステップにて検知された場合に、前記着信転送自動登録ステップにより、一方の記録媒体の加入者情報を着信転送元とし、他方の記録媒体の加入者情報を着信転送先とする着信転送サービスを登録し、
前記位置登録制御ステップにより他方の記録媒体の加入者情報について位置登録を設定し、
前記位置登録制御ステップにより一方の記録媒体の加入者情報について位置登録を設定しない携帯端末のサービス登録方法。
【発明の詳細な説明】
【技術分野】
【０００１】
本発明は着信転送サービスを提供している移動通信システムへ接続する携帯端末及びそのサービス登録方法に関する。
【背景技術】
【０００２】
本発明に関する背景技術としては、ＳＩＭカード、位置登録、複数のＳＩＭカードの搭載及び複数のＳＩＭカードを搭載する携帯端末が既に存在する。これらの背景技術を項目毎に説明する。
【０００３】
（１）ＳＩＭカードについて
移動通信網に繋がる携帯端末は移動通信網加入者を識別する為に携帯端末内に加入者識別情報を持つものとＳＩＭ(Subscriber Identity Module)やＵＩＭ(Universal Identity Module)と呼ばれるＩＣカードなどの記録媒体（以降ＳＩＭカードと称する）を搭載しているものがある。ＳＩＭカードにより移動通信網の加入者を識別する携帯端末では、携帯端末にＳＩＭカードを搭載もしくはＳＩＭカードから情報を読み取る為のインタフェースを備え、携帯端末が移動通信網と接続をする場合にはＳＩＭ加入者情報を読み取り、携帯端末は加入者情報を移動通信網に通知する。
【０００４】
（２）位置登録について
移動通信網は携帯端末を呼び出す為にその所在を把握する必要があり、携帯端末から位置登録という方法にて移動通信網側へ携帯端末の位置を移動通信網に登録を行う。携帯端末の電源を投入した直後では移動通信網に対して携帯端末の所在を通知する位置登録動作が自動的に行われる。移動通信網で予め決められたエリアを越えて携帯端末が移動した場合には携帯端末は位置登録行う。移動通信網は携帯端末の位置登録により通知された位置情報を加入者情報管理装置に対して登録し、携帯端末への着信通話など携帯端末への通信を確立する必要がある場合はその位置情報により携帯端末の呼び出しを行い通信の確立を行う。
【０００５】
（３）複数のＳＩＭカードの搭載について
現在、携帯端末（携帯電話）が普及し、仕事用の電話と個人用の電話を持つユーザもいる。その為、仕事用の電話と個人用の電話を１台の携帯端末ですませたいという要求がある。この場合ＳＩＭカードに加入者情報を持っている為、仕事で使用する法人契約されたＳＩＭカードと個人で使用する個人契約のＳＩＭカード等を１台の携帯端末に搭載する使い方が求められ、複数のＳＩＭカードを搭載できる携帯端末が求められている。
【０００６】
（４）複数のＳＩＭカードの搭載する携帯端末について
複数のＳＩＭカードを搭載する携帯端末の従来技術として下記特許文献１の技術が提案されている。携帯端末に於いて複数のＳＩＭカードの搭載を実現する為に、この方法では加入者の位置情報を管理する加入者情報管理装置にて位置登録を第一加入者でのみ行い、第二加入者は第一加入者と同じ位置にいる事を管理するという方法を用いている。
【０００７】
また、同様に、複数のＳＩＭカードを搭載する携帯端末の従来技術として下記特許文献２の技術が提案されている。この特許文献２の技術は、前記特許文献１の技術と相違する点は、ＳＩＭカードに互いに異なる複数の加入者識別情報を保存することで、ＳＩＭカードを着脱可能なインタフェース手段を複数設けることなく複数の利用者間で携帯端末を共有できる点である。
【特許文献１】特開２００２−９５０３８号公報
【特許文献２】特開２００６−１２１３３４号公報
【発明の開示】
【発明が解決しようとする課題】
【０００８】
従来、複数のＳＩＭカードを搭載した携帯端末ではそれぞれの加入者情報単位に位置登録動作が必要になり位置登録を頻繁に行う必要がある。その為、位置登録を頻繁に行う移動の場合には携帯端末の消費電力が上がり二次電池を主電源にする携帯端末では待ち受け時間が短くなるという問題があった。また、これまでにも電車等で複数の人が同時に移動した場合に位置登録が同時に発生する事から一時的に移動通信網の処理負荷が上がるという課題がある。その為、複数ＳＩＭカードを搭載する携帯端末が普及した場合には移動通信網側に於いても位置登録動作での処理負荷がさらに上昇するという問題が懸念される。
【０００９】
特許文献１では移動通信網での加入者情報管理装置に於いて位置登録を第一加入者でのみ行い、第二加入者は第一加入者と同じ位置にいる事を管理するという登録を１回のみ実施する事で、以降の位置登録動作をＳＩＭカードが１枚の時と同じにする事で第二加入者の位置登録回数が減り消費電力の問題を解決している。しかしながら、特許文献１の背景技術を実現する為には移動通信網での加入者情報管理装置及び位置登録手順に対しての変更を行う必要がある。さらに、加入者情報管理装置が対応している事業者のＳＩＭカードのみに限定されるという課題もある。なお、特許文献２は第一加入者と第二加入者がそれぞれ位置登録しており、位置登録動作による消費電力の問題をまったく解決することができない。
【００１０】
本発明は前記課題を解決するためになされたものであり、複数の加入者情報を一又は複数のＳＩＭカードなどの加入者情報を記録する記憶媒体から読み出した場合であっても、位置登録動作による消費電力の発生を、移動通信網での加入者情報管理装置及び位置登録手順へ変更を加えることなく、抑制する携帯端末及びそのサービス登録方法を提供することを目的とする。
【課題を解決するための手段】
【００１１】
（１）位置登録を設定しない記録媒体の加入者情報の着信転送サービス登録
本発明に係る携帯端末は、移動通信システムに接続する携帯端末において、加入者情報を記録した記憶媒体を検知する記憶媒体検知手段と、当該記憶媒体検知手段にて検知された前記記憶媒体の加入者情報について位置登録を設定する位置登録制御部と、移動通信網に対してサービス設定要求を送信して移動通信網が提供するサービスの設定を行うサービス設定手段と、当該サービス設定手段により着信転送元への着信を着信転送先に転送する着信転送サービスを登録する着信転送自動登録手段とを具備し、複数の前記記憶媒体が前記記憶媒体検知手段にて検知された場合に、前記着信転送自動登録手段が、一方の記録媒体の加入者情報を着信転送元とし、他方の記録媒体の加入者情報を着信転送先とする着信転送サービスを登録し、前記位置登録制御部により他方の記録媒体の加入者情報について位置登録を設定し、前記位置登録制御部により一方の記録媒体の加入者情報について位置登録を設定しないものである。
【００１２】
このように本発明においては、加入者情報を記録した記憶媒体が複数検知されている場合に、一方の記録媒体の加入者情報について他方の記録媒体の加入者情報を着信転送先とする着信転送サービスを登録し、着信転送先とした他方の記録媒体の加入者情報については位置登録し、着信転送元となった一方の記録媒体の加入者情報については位置登録しないので、一方の記録媒体の加入者情報について着信があった場合であっても他方の記録媒体の加入者情報へ転送されて同じ携帯端末で通信を確立でき、移動通信網側の設備に改良を加えることなく一方の記録媒体の加入者情報についての位置登録をしなくとも済み、位置登録動作による消費電力発生を抑制できるという効果を奏する。
前記記録媒体検知手段は、後説する実施形態においては、ＳＩＭ検知部が該当する。
前記携帯端末の記憶領域に、記憶媒体毎に加入者情報と着信転送先を記憶することが望ましい。ここで、着信転送元とならない加入者情報については着信転送先の値がない。
【００１３】
本発明に係る携帯端末は必要に応じて、前記一方の記録媒体は前記記録媒体検知手段により前記他方の記録媒体よりも後に検知されているものである。
本発明に係る携帯端末は必要に応じて、前記他方の記録媒体は前記記録媒体検知手段により前記一方の記録媒体よりも先に検知され、当該記録媒体検知手段による一方の記録媒体の検知よりも先に前記位置登録制御部により他方の記録媒体の加入者情報について位置登録を設定するものである。
【００１４】
このように本発明においては、位置登録を設定する他方の記録媒体の加入者情報を着信転送先とし、一方の記録媒体の加入者情報を着信転送元としているので、後で検知された一方の記録媒体の加入者情報について位置登録をせずに、一方の記録媒体の検知される前に既に位置登録している他方の記録媒体の加入者情報の位置登録を活用して一方の記録媒体の検知に伴う新たな位置登録を不要とすることができるという効果を有する。
【００１５】
（２）記録媒体の抜出しに伴う着信転送サービスの解除
本発明に係る携帯端末は必要に応じて、記憶媒体が抜出されたことを検知する記録媒体抜出し検知手段と、前記着信転送自動登録手段によって登録されている着信転送サービスを、前記サービス設定手段により解除する着信転送自動解除手段とを具備し、前期記憶媒体の抜出しが前記記録媒体抜出し検知手段にて検知された場合に、着信転送自動解除手段が、抜出された記憶媒体の加入者情報を着信転送元又は着信転送先として登録している着信転送サービスを解除するものである。
【００１６】
このように本発明においては、記録媒体の抜出しを検知すると、抜出した記録媒体の加入者情報を着信転送元又は着信転送先として登録されている着信転送サービスを解除するので、使用していない記録媒体の加入者情報を着信転送元とする着信転送や使用していない記録媒体の加入者情報を着信転送先とする着信転送を防止することができるという効果を有する。
前記記録媒体抜出し検知手段は、後説実施形態においてはＳＩＭ抜出し検知部である。
【００１７】
（３）電源オフに伴う着信転送サービスの解除
本発明に係る携帯端末は必要に応じて、前記着信転送自動登録手段によって登録されている着信転送サービスを、前記サービス設定手段により解除する着信転送自動解除手段と、電源オフ動作への移行を検知する電源オフ検知手段とを具備し、電源オン状態から電源オフ状態への遷移を当該電源オフ検知手段にて検知した場合に、前記着信転送自動解除手段が、前記記録媒体検知部により検知されている記憶媒体の加入者情報ついて登録された着信転送サービスを前記サービス設定手段により自動的に解除するものである。
【００１８】
このように本発明においては、電源オン状態から電源オフ状態の遷移を検知すると、検知されている記憶媒体の加入者情報について登録されている着信転送サービスを解除するので、無意味な着信転送サービスを回避することができるという効果を有する。つまり、電源オフ時に前記一方の記録媒体の加入者情報について着信があった場合に、発信者に対しては他方の記録媒体の加入者情報への転送を行った後に電源オフにより通話できないことが把握されるため、無意味な着信転送となる。
【００１９】
電源オフ動作から電源オン動作へ移行した場合には、前記（１）の構成の動作が実行される。つまり、電源オン動作へ移行して、複数の前記記憶媒体が前記記憶媒体検知手段にて検知された場合に、前記着信転送自動登録手段が、一方の記録媒体の加入者情報を着信転送元とし、他方の記録媒体の加入者情報を着信転送先とする着信転送サービスを登録し、前記位置登録制御部により他方の記録媒体の加入者情報について位置登録を設定し、前記位置登録制御部により一方の記録媒体の加入者情報について位置登録を設定しない動作となる。このように電源オフ時に着信転送サービスを解除し、再度、電源オン時に着信転送サービスを登録することで、電源オフ時直前に使用していたＳＩＭカードが再度電源オン時に別場所にあってもそのＳＩＭカードを介した転送は実行されずに過大な転送料金が生じることがない。
【００２０】
（４）セルフモードへの対応
本発明に係る携帯端末は必要に応じて、前記着信転送自動登録手段によって登録されている着信転送サービスを、前記サービス設定手段により解除する着信転送自動解除手段と、電波を送信しないセルフモードと当該セルフモード以外のモードの切り替えを制御するセルフモード設定手段とを具備し、セルフモード以外のモードからセルフモードへ移行する場合に、前記着信転送自動解除手段が、前記記録媒体検知部により検知されている記憶媒体の加入者情報ついて登録された着信転送サービスを前記サービス設定手段により自動的に解除し、セルフモードからセルフモード以外のモードへ移行する場合で且つ、複数の前記記憶媒体が前記記録媒体検知手段にて検知された場合に、前記着信転送自動登録手段が、一方の記録媒体の加入者情報を着信転送元とし、他方の記録媒体の加入者情報を着信転送先とする着信転送サービスを登録するものである。
このように本発明においては、前説電源オフ時と同様に、セルフモードへの遷移を検知すると、検知されている記憶媒体の加入者情報について登録されている着信転送サービスを解除するので、無意味な着信転送サービスを回避することができるという効果を有する。
【００２１】
（５）着信量に基づく着信転送方向の決定
本発明に係る携帯端末は必要に応じて、記録媒体の加入者情報毎に着信頻度、着信転送頻度及び累積着信通信時間の少なくとも１つを測定する着信量測定手段と、当該着信量測定手段により測定された記憶媒体の加入者情報毎の着信量に基づいて着信転送方向を決定する着信転送方向決定手段とを具備し、前記着信転送自動登録手段が、当該着信転送方向決定手段により決定された着信転送方向で着信転送サービスを登録するものである。
【００２２】
このように本発明においては、加入者情報毎の着信量に基づいて着信転送方向を決定し、この決定した着信転送方向に従った着信転送サービスを登録しているので、着信時の着信転送をできる限り回避することができるという効果を有する。
【００２３】
前記着信転送方向は、着信転送元から着信転送先への方向である。例えば、一方の加入者情報から他方の加入者情報への着信転送方向が現在の設定とし、着信転送方向決定手段により他方の加入者情報から一方の加入者情報への着信転送方向が決定した場合には、現在の設定が決定した着信転送方向に設定変更される。
【００２４】
前記（１）ないし（５）の本発明においては、携帯端末として本発明と捉えたが、所謂当業者であれば携帯端末のサービス登録方法として捉えることもできる。
これら前記の発明の概要は、本発明に必須となる特徴を列挙したものではなく、これら複数の特徴のサブコンビネーションも発明となり得る。
【発明の効果】
【００２５】
位置登録動作が減少する事により消費電力の削減が図れる。また、本方式は移動通信網に従来から提供されている着信転送サービスを用いている為、加入者情報管理装置（ＨＬＲ(Home Location Register)、ＶＬＲ(Visitor Location Register)）や位置登録手順の変更を行わず、携帯端末のみで実現可能である。従って、本方式は異なる事業者のＳＩＭカードを用いたサービスも実現可能である。
さらに着信転送サービスがより少なくなる様に移動機自身が着信転送元と着信転送先を切り替える為に移動通信網による着信転送サービスの負荷が軽減される。
【発明を実施するための最良の形態】
【００２６】
（本発明の第１の実施形態）
［１．システム構成要素］
図１は本実施形態に係る携帯端末の構成部位のブロック構成図である。
本実施形態に係る携帯端末は、無線ＩＦ部１、ユーザ通信制御部２、ＨＭＩ部３、セルフモード設定部４、ＳＩＭカードＩＦ部５、ＳＩＭ検知部６、ＳＩＭ抜出し検知部７、電源オフ検出部８、サービス設定部９、着信転送自動登録部１０、着信転送自動解除部１１、位置登録制御部１２、ＳＩＭ検知制御部１３、着信量測定部１４及び着信転送方向決定部１５を有する。
【００２７】
無線ＩＦ部１は、移動通信網との無線通信を行う為に無線送受信及び通信チャネルの選定を行う。
ユーザ通信制御部２は、ＨＭＩ部３からの発信要求や無線ＩＦ部１からの着信信号を通知して音声通信及びパケット通信を行う。
ＨＭＩ部３は、マイク、スピーカ、入力キー、表示装置、表示ランプ、カメラ、データ通信端子等必要に応じて構成され携帯端末使用者との入出力インタフェースを取り持つ。
【００２８】
セルフモード設定部４は、ＨＭＩ部３の１機能であり、ユーザからの要求に従い電波を出さないモードであるセルフモードと通常モードの切り替えを制御する機能である。モード変更時はＳＩＭ検知制御部１３へモード移行通知により設定されたモードを通知する。
【００２９】
ＳＩＭカードＩＦ部５は、ＳＩＭカードとのインタフェースを取り持つ。この実施例に於いてはＳＩＭカードの挿入スロットを２つ設け同時に２つのＳＩＭカードが接続できる様に構成する。３以上の挿入スロット設けることもできる。
【００３０】
ＳＩＭ検知部６は、ＳＩＭカードＩＦ部５の中でＳＩＭカードの実装を検知し、ＳＩＭカードが実装された事を検知した場合にはＳＩＭカードから取得した情報をＳＩＭ検知制御部１３に通知する機能である。具体的には、ＳＩＭカードがスロットに実装され、この実装された状態で電源投入が行われた場合に、検知したスロット番号と実装情報と加入者識別子（ＩＭＳＩ(International Mobile Subscriber Identity)）と事業者コード（ＰＬＭＮ(Public Land Mobile Network)）と加入者番号（ＤＮ(Directory Number)）をＳＩＭ検知制御部１３に通知（検知通知）し、ＳＩＭカードが２枚実装されたことを検知したときは双方のスロットの情報をＳＩＭ検知制御部１３へ通知する。尚、電源投入時は双方のスロットの情報を同時に通知するようにし、スロットのＳＩＭカードが実装されていない場合にも実装情報を”未装着”として通知を行う。
【００３１】
ＳＩＭ抜出し検知部７は、ＳＩＭカードＩＦ部５の中でＳＩＭカードの抜出されたことを検知し、ＳＩＭカードが抜かれた場合にはＳＩＭ検知制御部に対して抜き出されたことをＳＩＭ検知制御部１３に通知する機能である。ＳＩＭカードが抜かれた事を検知した場合にはスロット番号をＳＩＭ検知制御部１３へ通知（抜去通知）する。
【００３２】
電源オフ検出部８は、電源オフ操作へ移行したことを検知し、電源オフ操作を検知するとＳＩＭ検知制御部１３に対して電源オフ事前通知を行う。
サービス設定部９は、移動通信網が提供する着信転送サービスの登録や削除操作を無線ＩＦ部１経由にて実行する。
【００３３】
着信転送自動登録部１０は、サービス設定部９に対して、着信転送元の情報及び着信転送先の情報を通知して着信転送サービスの登録を実施する機能である。より具体的には、登録要求を受け着信転送サービス設定電文へ着信転送元の加入者番号（ＤＮ）と着信転送先の加入者番号（ＤＮ）を載せサービス設定部９へサービス設定要求を行う。
【００３４】
着信転送自動解除部１１は、サービス設定部９に対して、着信転送元の情報及び着信転送先の情報により着信転送が登録されていることを確認した上で着信転送サービスの解除を実施する機能である。より具体的には、解除要求を受け着信転送登録情報を読み出す電文へ着信転送元の加入者番号（ＤＮ）を載せサービス設定部９へサービス読み出し要求を行い、その結果を受けて着信転送サービス解除電文へ着信転送元の加入者番号（ＤＮ）を載せサービス設定部９へサービス設定要求を行い、着信転送サービスの登録削除を行う。
【００３５】
位置登録制御部１２は、位置登録要求や位置登録解除要求を受けると指定された加入者識別子（ＩＭＳＩ）に対して無線ＩＦ部１を経由し、位置登録の設定及び解除を実施する。また、無線ＩＦ部１より通知されたエリア情報から移動端末が新しいエリアへ移動したことを検出すると無線ＩＦ部１を経由し、移動通信網へ位置登録処理を行う。
【００３６】
ＳＩＭ検知制御部１３は、ＳＩＭカードがＳＩＭカードＩＦ部５に接続されたことを検知し、ＳＩＭカード内の加入者情報を記憶し、位置登録制御部１２に対してＳＩＭカードから読み出した加入者情報に対する位置登録要求や位置登録解除要求を行う。また、複数のＳＩＭカードが検知された場合には着信転送自動登録部１０へ着信転送サービスの登録要求を行い、加入者情報毎に着信転送先の情報を記憶する。ＳＩＭカードの取り出しが検知された場合、電源オフが検出された場合やセルフモード移行が検出された場合には着信転送自動解除部１１に対して着信転送サービスの登録要求や削除要求を行い、加入者情報毎に着信転送先の情報を記憶する。より具体的には、まず不揮発性の記憶域としてスロット番号に対応した実装情報と加入者識別子（ＩＭＳＩ）と事業者コード（ＰＬＭＮ）と加入者番号（ＤＮ）と着信転送先加入者番号（ＤＮ）を持つ。ＳＩＭカードＩＦ部５から検知通知により通知されたスロット番号対応に実装情報と加入者識別子（ＩＭＳＩ）と事業者コード（ＰＬＭＮ）と加入者番号（ＤＮ）を記憶し、事業者コード（ＰＬＭＮ）と加入者識別子（ＩＭＳＩ）を位置登録制御部１２へ通知（位置登録要求）し位置登録を実施する。ＳＩＭカードＩＦ部５から抜去通知により通知されたスロット番号に対応する事業者コード（ＰＬＭＮ）と加入者識別子（ＩＭＳＩ）を位置登録制御部１２へ通知（位置登録解除要求）し位置登録の解除を行い、記憶していたスロット番号に対応する加入者識別子（ＩＭＳＩ）と事業者コード（ＰＬＭＮ）と加入者番号（ＤＮ）と着信転送先加入者番号（ＤＮ）を消去し、実装情報を”未装着”とする。本発明に於いてＳＩＭカードは複数実装できる為にＳＩＭカードＩＦ部５から２枚目のＳＩＭカードの検知通知が行われるケースでは、位置登録制御部に対して位置登録を行った後に、転送元として第２の加入者番号（ＤＮ）を、また転送先として第一の加入者番号（ＤＮ）を着信転送自動登録部１０へ通知（登録要求）し、転送元の加入者番号（ＤＮ）に対する着信転送先加入者番号（ＤＮ）を記憶する。またＳＩＭカードＩＦ部５からどちらかのカードの抜去通知が行われるケース、及び電源投入時にＳＩＭカードＩＦ部５から検知通知を受けたケースでは、位置登録解除を実施する前に転送元に設定されている加入者番号（ＤＮ）と転送先に登録されている加入者番号（ＤＮ）を着信転送自動解除部１１へ通知（解除要求）し、着信転送サービス解除を行う。また電源オフ検知部８より電源オフ事前通知やセルフモード設定部４よりモード移行通知を受けた場合にはＳＩＭカードの抜去通知と同様に、着信転送サービスの解除及び位置登録解除を行う。
図２は本実施形態に係る携帯端末の構成部位で使用するデータ例である。
ＳＩＭ検知制御部１３は、図２（ａ）に示すように、スロット番号、実装情報、加入者識別子（ＩＭＳＩ）、事業者コード（ＰＬＭＮ）、加入者番号（ＤＮ）及び転送先加入者番号をスロット数分保持する。
【００３７】
［２．動作］
［２．１  ＳＩＭカード検出時］
図３は本実施形態に係る携帯端末のＳＩＭカード検出時の処理フローチャートである。
【００３８】
まず、ＳＩＭカードを１枚装着したところから説明する。ＳＩＭ検知部６にてＳＩＭカードを検知し（ステップＳ１０１）、ＳＩＭ検知制御部１３にＳＩＭカードの加入者情報（スロット番号、加入者識別子（ＩＭＳＩ）、事業者コード（ＰＬＭＮ）及び加入者番号（ＤＮ））が通知される。この時は１枚のＳＩＭカードみの実装であり、ＳＩＭカードの加入者情報がＳＩＭ検知制御部１３に対して記憶される（ステップＳ１１１）。
【００３９】
ＳＩＭ検知制御部１３は、事業者コード（ＰＬＭＮ）及び加入者識別子（ＩＭＳＩ）を位置登録制御部１２へ通知し、位置登録要求する（ステップＳ１１２）。このＳＩＭ検知制御部１３からの位置登録要求を受けた位置登録制御部１２が、無線ＩＦ部１を通じて移動通信網に対する位置登録を行う。
【００４０】
この後２つ目のＳＩＭカードを装着するとＳＩＭ検知部６にてＳＩＭカードを検知する（ステップＳ１２１）。ＳＩＭ検知制御部１３にＳＩＭカードの加入者情報が通知され、ＳＩＭカードの加入者情報はＳＩＭ検知制御部１３にて追加記憶される（ステップＳ１３１）。ここでＳＩＭ検知制御部１３は２枚のＳＩＭカードが装着されたことを認識し（ステップ１３２）、２つ目のＳＩＭカードに対応する加入者情報に対しては着信転送自動登録部１０に対して２つ目のＳＩＭカードから１つ目のＳＩＭカードへの転送登録要求を行う（ステップＳ１３３）。サービス設定部９及び無線ＩＦ部１を通じて移動通信網に着信転送サービスの登録が行われる。着信転送サービスの登録の結果を受け、ＳＩＭ検知制御部１３は転送元となる加入者情報に対して転送先加入者番号（ＤＮ）を記憶する（ステップＳ１４１）。ここでは、ＳＩＭ検知制御部１３の保持する２つ目の加入者情報に対して１つ目の加入者情報の加入者番号を転送先加入者番号（ＤＮ）として記憶している（図２（ａ）参照）。
【００４１】
［２．２  電源オフ時］
図４は本実施形態に係る携帯端末の電源オフ時及び電源オン時の処理フローチャートである。
携帯端末の使用者が電源切断操作を行った場合、電源オフ検知部８が電源オフを検知し（ステップＳ２０１）、電源オフ事前通知をＳＩＭ検知制御部１３に対して行う。電源オフ事前通知を受けたＳＩＭ検知制御部１３では記憶しているＳＩＭカードの加入者情報に対する着信転送先加入者番号（ＤＮ）を元に着信転送自動解除部１１に対して解除要求を行う（ステップＳ２１１）。着信転送自動解除部１１は解除要求を受け、サービス設定部９に対してサービス読み出しを要求する。サービス設定部９が無線ＩＦ部１を通じて移動通信網側へサービス参照する。サービス設定部９が無線ＩＦ部１を介して参照結果を受け取り、着信転送自動解除部１１に結果通知する。着信転送自動解除部１１が登録先がＳ１か否かを結果通知を参照して判断する（ステップＳ２２１）。登録先がＳ１であると判断した場合には、着信転送自動解除部１１が転送元をＳ２とし、転送先をＳ１とする転送を解除するサービス設定要求をサービス設定部９に行う。サービス設定部９は着信転送自動解除部１１が要求したサービス設定を無線ＩＦ部１を通じで移動通信側へ行う。サービス設定部９が無線ＩＦ部１を介して設定結果を受け取り、着信転送自動解除部１１に結果通知する。この結果通知をＳＩＭ検知制御部１３が着信転送自動解除部１１を介して受け取る。結果通知が正常であれば、ＳＩＭ検知制御部１３が解除要求の対象となった着信転送先加入者番号（ＤＮ）をＳＩＭ検知制御部１３で保持している該当する加入者情報から削除する（ステップＳ２３１）。つまり、移動通信網側で転送が解除されたという結果を元にＳＩＭ検知制御部１３に記憶していた着信転送先加入者番号（ＤＮ）の情報を消去する。
前記ステップＳ２２１で登録先がＳ１ではないと判断した場合には、本電源オフ時の処理を終了する。
【００４２】
［２．３  電源オン時］
前記［２．２  電源オフ時］で２枚装着されていたＳＩＭカードを１枚抜いて電源が投入された時の動作を説明する。ＳＩＭ検知部６はＳＩＭカードが１枚装着されていることを検知し、ＳＩＭ検知制御部１３に通知を行う（ステップＳ３０１）。ここでは、２つ目のＳＩＭカードのみが検出されたとする。ＳＩＭ検知制御部１３はＳＩＭ検知部６から通知された加入者情報を記録し（ステップＳ３１１）、電源オフ時に記憶されている加入者情報を比較する。ここで電源オフ時に着信転送解除が正常に行われていなかった場合には着信転送先の加入者番号（ＤＮ）が登録されたままの状態となる。ＳＩＭ検知部６から通知された加入者情報と比較して差異がある場合には抜かれたＳＩＭカードを認識する（ステップＳ３１２）。着信転送解除が正常に行われず、電源オフ時に２枚のＳＩＭカードが装着され、現在一方のＳＩＭカードが抜かれている場合には、ＳＩＭ検知制御部１３が着信転送自動解除部１１へ着信転送解除要求を行う。ＳＩＭ検知制御部１３が着信転送自動解除部１１へ着信転送解除要求を行った後から、ＳＩＭ検知制御部１３へのサービス設定結果の結果通知までの処理（ステップＳ３２１を含む）は既に［２．２  電源オフ時］で説示しているため省略する。ＳＩＭ検知制御部１３はサービス設定結果の結果通知が正常である場合には、抜かれたＳＩＭカードの加入者情報を削除する（ステップＳ３３１）。ＳＩＭ検知制御部１３が電源投入後にＳＩＭ検知部６から通知された加入者情報に対して位置登録を実行する（ステップＳ３３２）。位置登録についても既にステップＳ１１２で説示しているため詳細は省略する。
図５は本実施形態に係る携帯端末へ複数のＳＩＭカードを装着した場合の電源オン時の処理フローチャートである。
【００４３】
前記［２．２  電源オフ時］で２枚装着されていたＳＩＭカードの状態で電源が投入された時の動作を説明する。ＳＩＭ検知部６が２枚のＳＩＭカードを検出し（ステップＳ４０１）、ＳＩＭ検知部６より２枚分の加入者情報がＳＩＭ検知制御部１３に通知され、通知された加入者情報を記録する（ステップＳ４１１）。次に、一方の加入者情報について位置登録処理を実行する（ステップＳ４１２）。ＳＩＭ検知制御部１３はＳＩＭ検知部５からの通知で加入者情報が２つあることを認識している（ステップＳ４２１）。そして、位置登録処理を行った一方の加入者情報を転送先とし、他方の加入者情報を転送元とする着信転送サービスの登録処理を行う（ステップＳ４２２、ステップＳ４３１）。なお、位置登録及び着信転送サービスについては、前記［２．１  ＳＩＭカード検出時］で図３を用いて説示しているため説明を省略する。
【００４４】
［２．４  セルフモード移行時］
図６は本実施形態に係る携帯端末のセルフモード移行時及び解除時の処理フローチャートである。
２枚のＳＩＭカードが装着されており、着信転送サービスが登録されている状態からのセルフモードへ移行した場合を説明する。携帯端末の使用者がＨＭＩ部３を介してセルフモードへの設定動作を行うと、セルフモード設定部４はセルフモードを受け付け（ステップＳ５０１）、セルフモードへ移行する前にＳＩＭ検知制御部１３へセルフモードへのモード移行を通知する。ＳＩＭ検知制御部１３は着信転送サービスが登録されている場合には着信転送サービスの解除を行う（ステップＳ５１１）。着信転送サービスの解除については、前記［２．２  電源オフ時］での着信転送サービスの解除と同様であるため説明（ステップＳ５２１及びステップＳ５３１を含む）を省略する。
【００４５】
［２．５  セルフモード解除時］
この後、携帯端末の使用者がＨＭＩ部３を介してセルフモードを解除する設定動作を行うと、セルフモード設定部３はセルフモードの解除を受け付け、セルフモードの解除を行う（ステップＳ５４１）。通常モードへ移行した後にＳＩＭ検知制御部１３に対して通常モードへのモード移行通知を行う。ＳＩＭ検知制御部１３では通常モードへの移行通知を受けると記憶していたＳＩＭカードの加入者情報を元に位置登録処理を行い（ステップＳ５５１）、着信転送サービスの設定要求を行う。なお、位置登録及び着信転送サービス（ステップＳ５６１及びステップＳ５７１を含む）については、前記［２．１  ＳＩＭカード検出時］で図３を用いて説示しているため説明を省略する。
【００４６】
［３．本実施形態の効果］
本実施形態によれば、複数ＳＩＭカードを装着可能な携帯端末において、移動通信網側の装置に変更を加えることなく携帯端末側の改良だけで、同じ携帯端末で使用される複数のＳＩＭカードについての重複した位置登録を回避することができる。
【００４７】
（本発明の第２の実施形態）
［１．システム構成］
図７は本実施形態に係る携帯端末のブロック構成図である。
本実施形態に係る携帯端末は、前記第１の実施形態に係る携帯端末と同様に構成され、新たに、着信量測定部１４及び着信転送方向決定部１５を備えることを異にする構成である。
【００４８】
着信量測定部１４は、着信時の着信回数と累積着信通信時間を加入者情報毎に着信量として集計する機能である。より具体的には、記憶域に加入者番号毎の着信回数と累計着信通信時間のデータを持ち、ユーザ通信制御部２より通知された着信通知により、着信通話が行われる毎に発信者側加入者が要求した通話先である加入者番号（ＤＮ）毎に着信回数と累積着信通信時間を集計し、その結果を着信転送方向決定部１５へ通知（着信量変化通知）する。尚、着信転送が行われた場合は着信転送元の加入者番号（ＤＮ）毎のことである。また、ここでは、着信量として着信回数と累積着信通信時間を例示したが、着信転送回数を含めてもよい。
【００４９】
着信転送方向決定部１５は、着信量測定部１４が測定した着信量により着信回数や着信転送通信時間が少なくなるような転送方向を決定する機能である。固定データとして切り替え判断着信回数閾値と着信転送方向切り替え閾値を持ち、着信量測定部１４より通知された加入者番号（ＤＮ）毎の着信回数及び累積着信通話時間と閾値データを元に着信転送が少なくなるような転送方向を導き出して転送元加入者番号（ＤＮ）と転送先加入者番号（ＤＮ）をＳＩＭ検出制御部１３へ通知し着信転送切り替えを要求する。
【００５０】
図２（ｂ）（ｃ）にそれぞれ着信量測定部１４で持つ記憶域の情報設定例及び着信転送方向決定部１５で持つ固定データの例を示す。この例では切り替え判断閾値を着信回数で５回以上とし、着信方向切り替え閾値を±５０％としている。着信転送方向決定部１５は、着信量測定部１４より着信量の集計結果が通知されると着信回数が各々閾値である５回以上であるかを確認する。そして、切り替え判断閾値を超えている加入者番号の累積着信通信時間について、着信転送方向切り替え閾値を超えているか否かを判断する。例えば、５回以上であれば累積着信通信時間の差が±５０％以上の開きがあるかを算出する。図２に着信量測定部１４で持つ記憶域の情報の例を記載している、加入者番号「０９０１１１１２２２２」より「０９０１２３４５６７８」に対する着信通話時間が５０％以上の開きがあることがわかる。詳細には、比較元の加入者番号「０９０１１１１２２２２」の累積着信通信時間「３２０［秒］」の「５０［％］」は「１６０［秒］」である。そして、比較元の加入者番号「０９０１１１１２２２２」の累積着信通信時間「３２０［秒］」と、比較先の加入者番号「０９０１２３４５６７８」の累積着信通信時間「６６０［秒］」の差分は、「３４０［秒］」であり、前に求めた「１６０［秒］」を超えて比較元の加入者番号「０９０１１１１２２２２」の着信転送方向切り替え閾値「＋５０［％］」以上となっている。そこで、累積着信通信時間の多い加入者番号が転送先となるように、ＳＩＭ検知通知部１３に対して加入者番号「０９０１１１１２２２２」から「０９０１２３４５６７８」への転送登録を要求する。
【００５１】
ＳＩＭ検出制御部１３は、着信転送切り替え要求で受けた着信転送元の加入者番号「０９０１１１１２２２２」及び着信転送先の加入者番号「０９０１２３４５６７８」と現在設定されている着信転送元の加入者番号「０９０１２３４５６７８」と着信転送先の加入者番号「０９０１１１１２２２２」との比較を行い、差異があれば着信転送自動解除部１１と着信転送自動設定部１０にそれぞれ着信転送の解除（着信転送元の加入者番号「０９０１２３４５６７８」と着信転送先の加入者番号「０９０１１１１２２２２」）と登録（着信転送元の加入者番号「０９０１１１１２２２２」及び着信転送先の加入者番号「０９０１２３４５６７８」）を指示することにより、着信転送の切り替えを行う。ここでは、着信量を決定する為に累積着信通話時間により算出しているが、着信回数のみで行うことも可能であり、それぞれに重み付けをして算出する構成であってもよい。
重み付けを用いて算出する構成を具体的に説示する。下記式（１）を用いて比較元の加入者番号と比較先の加入者番号のｙ値をそれぞれ求める。
【００５２】
【数１】
2008236346.tif 000003
求めた比較元の加入者番号のｙ値と比較先の加入者番号のｙ値を比較し、ｙ値の大きい加入者番号を着信転送先の加入者番号とする。
【００５３】
［２．動作］
図８は本実施形態に係る携帯端末の着信量決定の処理フローチャートである。
ユーザ通信制御部２が、着信通信終了時に、着信電話番号及び着信通信時間を着信量測定部１４に通知する（ステップＳ６０１）。
着信量測定部１４が、通知された着信電話番号及び着信通信時間を用いて、該当する加入者番号について着信回数をインクリメントし、さらに、通知された着信通信時間を加算して累積着信通信時間を更新する（ステップＳ６１１）。また、着信量測定部１４が着信量累積データをともなって着信量変化を着信転送方向決定部１５に通知する。
【００５４】
着信転送方向決定部１５が通知された着信回数が切り替え判断閾値を超えているか否かを判断する（ステップＳ６２１）。切り替え判断閾値を超えていると判断した場合には、着信転送方向決定部１５が対象元となる加入者番号と対象先となる加入者番号の累積着信時間の差分を求め、着信転送方向切り替え閾値以上であるか否かを判断する（ステップＳ６２２）。着信転送切り替え閾値以上であると判断した場合には、着信が少ない方から着信が大い方への着信転送要求をＳＩＭ検知制御部１３に行う（ステップＳ６２３）。前記ステップ６２１で切り替え判断閾値を超えていないと判断した場合、前記ステップＳ６２２で着信転送切り替え閾値以上でないと判断した場合には、着信量決定の処理を終了する。
【００５５】
着信転送要求を受けたＳＩＭ検知制御部１３が、現在の着信転送方向を確認して着信転送要求と異なる場合に、現在登録されている着信転送を解除し、要求された着信転送方向へ切り替えを行う（ステップＳ７００）。
【００５６】
前記ステップＳ７００の詳細を図９に示す。この図９に示すようにステップＳ７０１ないしステップＳ７２１の処理は、図６のセルフモード移行時の処理（ステップＳ５１１ないしステップＳ５３１）と同様である。また、図９に示すようにステップＳ７２２ないしステップ７４２の処理は、図６のセルフモード解除時の処理（ステップＳ５５１ないしステップＳ５７１）と同様である。
【００５７】
［３．本実施形態の効果］
このように本実施形態によれば、定式通りに１つ目のＳＩＭカードの加入者番号を２つ目のＳＩＭカードの加入者番号の着信転送先とするのではなく、着信量を測定して着信量が多い加入者番号を着信転送先としているので、前記第１の実施形態と同様に転送サービスを利用して両方のＳＩＭカードの加入者番号の位置登録を回避しつつ、可能な限り着信転送を抑えることができる。
【００５８】
（その他の実施形態）
［３以上のＳＩＭカードを装着する場合］
前記第１の実施形態においては、例えば、１つ目のＳＩＭカードを位置登録し、２つ目のＳＩＭカードの加入者番号に対しては１つ目のＳＩＭカードを着信転送先とする構成であった。３つ目のＳＩＭカードがある場合においても、２つ目のＳＩＭカードの加入者番号と同様に、１つ目のＳＩＭカードを着信転送先とし、３つ目以降のＳＩＭカードの加入者番号についても同様である。
【００５９】
また、前記その他の実施形態においては、着信回数及び／又は累積着信通信時間を用いて所定条件を満たす加入者番号を着信転送先とする構成であった。３以上のＳＩＭカードがある場合には、最も着信回数が多い加入者番号、最も累積着信通信時間が長い加入者番号を着信転送先とする。
【００６０】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【００６１】
前記各実施形態に関し、次の付記を記す。
（付記）
（付記１）  移動通信システムに接続する携帯端末において、加入者情報を記録した記憶媒体を検知する記憶媒体検知手段と、当該記憶媒体検知手段にて検知された前記記憶媒体の加入者情報について位置登録を設定する位置登録制御部と、移動通信網に対してサービス設定要求を送信して移動通信網が提供するサービスの設定を行うサービス設定手段と、当該サービス設定手段により着信転送元への着信を着信転送先に転送する着信転送サービスを登録する着信転送自動登録手段とを具備し、複数の前記記憶媒体が前記記憶媒体検知手段にて検知された場合に、前記着信転送自動登録手段が、一方の記録媒体の加入者情報を着信転送元とし、他方の記録媒体の加入者情報を着信転送先とする着信転送サービスを登録し、前記位置登録制御部により他方の記録媒体の加入者情報について位置登録を設定し、前記位置登録制御部により一方の記録媒体の加入者情報について位置登録を設定しない携帯端末。
【００６２】
（付記２）  前記一方の記録媒体は前記記録媒体検知手段により前記他方の記録媒体よりも後に検知されている前記付記１に記載の携帯端末。
【００６３】
（付記３）  前記他方の記録媒体は前記記録媒体検知手段により前記一方の記録媒体よりも先に検知され、当該記録媒体検知手段による一方の記録媒体の検知よりも先に前記位置登録制御部により他方の記録媒体の加入者情報について位置登録を設定する前記付記１に記載の携帯端末。
【００６４】
（付記４）  記憶媒体が抜出されたことを検知する記録媒体抜出し検知手段と、前記着信転送自動登録手段によって登録されている着信転送サービスを、前記サービス設定手段により解除する着信転送自動解除手段とを具備し、前期記憶媒体の抜出しが前記記録媒体抜出し検知手段にて検知された場合に、着信転送自動解除手段が、抜出された記憶媒体の加入者情報を着信転送元又は着信転送先として登録している着信転送サービスを解除する前記付記１ないし３のいずれかに記載の携帯端末。
【００６５】
（付記５）  前記着信転送自動登録手段によって登録されている着信転送サービスを、前記サービス設定手段により解除する着信転送自動解除手段と、電源オフ動作への移行を検知する電源オフ検知手段とを具備し、電源オン状態から電源オフ状態への遷移を当該電源オフ検知手段にて検知した場合に、前記着信転送自動解除手段が、前記記録媒体検知部により検知されている記憶媒体の加入者情報ついて登録された着信転送サービスを前記サービス設定手段により自動的に解除する前記付記１ないし３のいずれかに記載の携帯端末。
【００６６】
（付記６）  前記着信転送自動登録手段によって登録されている着信転送サービスを、前記サービス設定手段により解除する着信転送自動解除手段と、電波を送信しないセルフモードと当該セルフモード以外のモードの切り替えを制御するセルフモード設定手段とを具備し、セルフモード以外のモードからセルフモードへ移行する場合に、前記着信転送自動解除手段が、前記記録媒体検知部により検知されている記憶媒体の加入者情報ついて登録された着信転送サービスを前記サービス設定手段により自動的に解除し、セルフモードからセルフモード以外のモードへ移行する場合で且つ、複数の前記記憶媒体が前記記録媒体検知手段にて検知された場合に、前記着信転送自動登録手段が、一方の記録媒体の加入者情報を着信転送元とし、他方の記録媒体の加入者情報を着信転送先とする着信転送サービスを登録する前記付記１ないし３のいずれかに記載の携帯端末。
【００６７】
（付記７）  記録媒体の加入者情報毎に着信頻度、着信転送頻度及び累積着信通信時間の少なくとも１つを測定する着信量測定手段と、当該着信量測定手段により測定された記憶媒体の加入者情報毎の着信量に基づいて着信転送方向を決定する着信転送方向決定手段とを具備し、前記着信転送自動登録手段が、当該着信転送方向決定手段により決定された着信転送方向で着信転送サービスを登録する前記付記１ないし６のいずれかに記載の携帯端末。
【００６８】
（付記８）  移動通信システムに接続する携帯端末のサービス登録方法において、加入者情報を記録した記憶媒体を検知する記憶媒体検知ステップと、当該記憶媒体検知ステップにて検知された前記記憶媒体の加入者情報について位置登録を設定する位置登録制御ステップと、移動通信網に対してサービス設定要求を送信して移動通信網が提供するサービスの設定を行うサービス設定ステップと、当該サービス設定ステップにより着信転送元への着信を着信転送先に転送する着信転送サービスを登録する着信転送自動登録ステップとを含み、複数の前記記憶媒体が前記記憶媒体検知ステップにて検知された場合に、前記着信転送自動登録ステップにより、一方の記録媒体の加入者情報を着信転送元とし、他方の記録媒体の加入者情報を着信転送先とする着信転送サービスを登録し、前記位置登録制御ステップにより他方の記録媒体の加入者情報について位置登録を設定し、前記位置登録制御ステップにより一方の記録媒体の加入者情報について位置登録を設定しない携帯端末のサービス登録方法。
【図面の簡単な説明】
【００６９】
【図１】本発明の第１の実施形態に係る携帯端末のブロック構成図である。
【図２】本発明の第１の実施形態に係る携帯端末の構成部位が使用するデータ例である。
【図３】本発明の第１の実施形態に係る携帯端末のＳＩＭカード検出時の処理フローチャートである。
【図４】本発明の第１の実施形態に係る携帯端末の電源オフ時及び電源オン時の処理フローチャートである。
【図５】本発明の第１の実施形態に係る携帯端末へ複数のＳＩＭカードを装着した場合の電源オン時の処理フローチャートである。
【図６】本発明の第１の実施形態に係る携帯端末のセルフモード移行時及び解除時の処理フローチャートである。
【図７】本発明の第２の実施形態に係る携帯端末のブロック構成図である。
【図８】本発明の第２の実施形態に係る携帯端末の着信量決定の処理フローチャートである。
【図９】本発明の第２の実施形態に係る携帯端末の着信転送先切り替えの処理フローチャートである。
【符号の説明】
【００７０】
１  無線ＩＦ部
２  ユーザ通信制御部
３  ＨＭＩ部
４  セルフモード設定部
５  ＳＩＭカードＩＦ部
６  ＳＩＭ検知部
７  ＳＩＭ抜出し検知部
８  電源オフ検出部
９  サービス設定部
１０  着信転送自動登録部
１１  着信転送自動解除部
１２  位置登録制御部
１３  ＳＩＭ検知制御部
１４  着信量測定部
１５  着信転送方向決定部
【図１】
2008236346.tif 000004
【図２】
2008236346.tif 000005
【図３】
2008236346.tif 000006
【図４】
2008236346.tif 000007
【図５】
2008236346.tif 000008
【図６】
2008236346.tif 000009
【図７】
2008236346.tif 000010
【図８】
2008236346.tif 000011
【図９】
2008236346.tif 000012